(57)【要約】【課題】従来ポリタンクからストーブに補給した後ホースポンプを収納ケースに収める時収納ケースの上からホースポンプを差し入れていたが横に残油が垂れたりポリタンクにポンプホルダーを取付ける際吊り下げリングが各容器口の口径が違うので安定しない。１０Ｌ  １８Ｌ容器では高さが違うので対応できない【解決手段】  支柱（１）の下部に容器受（２）上方にセット板（３）上部にリング板（６）上受穴（１８）上矢穴（１７）中央部に受穴（１５）矢受穴（１６）を設けるリング板（６）に接続板（１２）その先に矢先（１４）を設ける  リング板（６）の上下に円柱突起（７）（８）を設けその上に半円板（９）を重ね支点穴（１０）を円柱突起（７）に差込み口径の大きさに合わせ円柱突起（１８）にセット穴（１１）を合わしセットする接続板（１２）の矢先（１４）を矢受穴（１６）上矢受穴（１７）いずれかに入れ高さ設定する。セット板（３）に切り割（４）重ね（５）を設けホースポンプを切り割（４）から押入れ収納する横からの収納を特徴とする【選択図】図１
2015227210.tif 000002
【特許請求の範囲】
【請求項１】
セット板（３）を設け切り割（４）重ね（５）を設けて弾力でセット板（３）の開閉を維持する灯油ホースポンプキャッチ
【請求項２】
リング板（６）に円柱突起（７）（８）接続板（１２）矢先（１４）を設け半円板（９）に支点穴（１０）セット穴（１１）を設けリング板（６）に装着した請求項１の灯油ホースポンプキャッチ
【請求項３】
支柱（１）の上方部にリング板（６）上矢受穴（１７）上受穴（１８）切り割（４）を有するセット板（３）下方に容器受（２）を設けて成る請求項１請求項２の灯油ホースポンプキャッチである
【発明の詳細な説明】
【技術分野】
【０００１】  この発明はストーブに灯油補給後ホースポンプ収納に関するものである
【背景技術】
【０００２】従来はポリタンクからストーブに灯油を補給した後ホースポンプを収納ケースに収める時収納ケースの上からホースポンプを差し入れていたが入れぬくく横に残油が垂れる
ポリタンクにポンプホルダーを取付ける際吊り下げリングが各容器の口径が違うので固定できない又１０Ｌと１８Ｌでわ容器の高さが違うので対応できない
【先行技術文献】
【特許文献】
【０００３】
【発明の概要】
【発明が解決しようとする課題】
【０００４】これは次のような欠点があつた
ポリタンクからストーブに補給した後ホースポンプを収納ケースに収めるときホースポンプを収納ケースの上から入れていたが蛇腹ホースが引っかかり入れぬくくホース内の残油も横に垂れ手間がかかる  ポリタンク口の口径が違い安定しないポリタンクの大きさの違いで収納ケースが取付けない
本発明は以上の様な欠点をなくす為になされたものである
【課題を解決する為の手段】
【０００５】１）支柱（１）の下部に容器受（２）上方にセット板（３）上方部にリング板（６）を設ける
２）セット板（３）の中央部に切り割（４）を斜めに設け切り割（４）先端部を重ねて重ね（５）を設ける
３）リング板（６）の上下に円柱突起（７）（８）を設ける
４）半円板（９）を設け半円板（９）の一方に支点穴（１０）他方にセット穴（１１）を数個設ける
５）リング板（６）の上に半円板（９）を重ね装着する
６）リング板（６）の下部に接続板（１２）その先に矢先（１４）を設ける
７）支柱（１）の中央部に受穴（１５）その先に矢受穴（１６）を設ける
８）支柱（１）の上部に上受け穴（１８）上矢受穴（１７）を設ける
本発明は以上の様な構成によりなるホースポンプ収納具である
【発明の効果】
【０００６】１）ホルダー吊り下げリング板（６）に突起（７）（８）を設けその上に半円板（９）を重ね容器の口径に合った所の穴に差込セットして対応する
２）リング板（６）の下部に接続板（１２））を設けリング板（６）の取付角度を自由に変えられる
３）矢先（１４）はホルダー（１３）取付の高さ変えの時ホルダーに設けた矢受穴（１６）に矢先（１４）を差込み入れ終えた所で上に上げれば接続板（１２）に連ねる矢先が引っかかりリング板（６）を保持する
４）ホースポンプを油受容器に入れ支点にしてホースポンプ上方部をセット板（３）の切割（４）に押し入れる後は弾力で戻り入口は閉じ重ね（５）で保持力を増し保持する出すときは手前に引く力で切り割（４）は開き取り出し後は元に戻り形状を維持する
以上用途に応じて各機構が対応出来るので便利である
【図面の簡単な説明】
【０００７】
【図１】  本発明の斜視図である
【図２】  本発明のリング板拡大平面図である
【発明の実施をするための形態】
【０００８】  以下本発明の実施をするための形態について説明する
以下製品弾性材（ポリプロピレン。ポリエチレン。塩化ビニール樹脂等
１）支柱（１）の下部に容器受（２）上方にセット板（３）上部にリング板（６）を設ける
２）セット板（３）中央部に切り割（４）を斜めに設け切り割（４）先端部を重ねて重ね（５）を設ける
３）リング板（６）上下に円柱突起（７）（８）を設ける
４）半円板（９）を設け半円板（９）の一方に支点穴（１０）他方にセット穴（１１）を数個設ける
６）リング板（６）の下部に接続板（１２）その先に矢先（１４）を設ける
７）支柱（１）の中央部に受穴（１５）その先に矢受穴（１６）上方部に上受穴（１８）上矢受穴（１７）をそれぞれ設ける
８）切り割（４）を直線状に設ける
９）セット板（３）を弾性材で補強して切り割（４）のみ設ける
１０）スプリングの弾力でセット板（３）を設ける
本発明は以上の様な構造である横からの出し入れを特徴としている
これを使用する時は
１）ポリタンク口にリング板（６）をはめ口径に合わせ半円板（９）の支点穴（１０）を円柱突起（７）に円柱突起（８）にセット穴１１）を合わせセットする
２）支柱（１）の高さを中央受穴（１５）矢穴（１６）に矢先（１４）を差し入れ高さを変える
３）ホースポンプを油受容器に入れ支点にしてホースポンプホース上方部を切割り（４）に押し入れる後は弾力で戻り入口は閉じ重ね（５）で保持力を増し保持する
取り出す時は手前に引く力で切割り（４）を開き取り出した後は弾力で元に戻り形状を維持する又取り出しは上に抜き出し可能である
【符号の説明】
【０００９】  １        支柱                        １１        セット穴
２        容器受                      １２        接続板
３        セット板                    １３        ホルダ
４        切割り                      １４        矢先
５        重ね                        １５        受穴
６        リング板                    １６        矢受穴
７        円柱突起                    １７        上矢受穴
８        円柱                        １８        上受穴
９        半円板
１０      支点穴
【図１】
2015227210.tif 000003
【図２】
2015227210.tif 000004
【手続補正書】
【提出日】平成26年8月11日(2014.8.11)
【手続補正１】
【補正対象書類名】特許請求の範囲
【補正対象項目名】請求項２
【補正方法】変更
【補正の内容】
【請求項２】
リング板（６）に円柱突起（７）（８）接続板（１２）を設け半円板（９）に支点穴（１０）セット穴（１１）を設けリング板（６）に装着した請求項１の灯油ホースポンプキャッチ